(57)【要約】【課題】取り付け作業性を向上できるドアを提供すること。【解決手段】ドアは、ドア枠１０に対してヒンジにより開閉自在に取り付けられたドア本体２０と、ドア本体２０の開度を規制するための規制部材とを備える。ドア本体２０の上框２１の上面には、辺方向に延びる溝部２１Ａが形成されている。規制部材は、溝部２１Ａに沿って摺動するスライダ３１と、アームストッパ３３とを備える。アームストッパ３３は、その基端側Ｔがドア枠１０に対して回動自在に取り付けられ、かつその先端側Ｓには下方へ突出するピン３５が設けられている。スライダ３１は、戸先側が開放された開放部からピン３５を収納するための収納孔が形成されたスライダ本体と、開放部Ｐから戸先側へテーパ状に延びる一対の突出片とを備えている。一対の突出片は、ピン３５から吊元側への力が加わると弾性変形して開放部を拡げ、ピン３５を収納孔へと導びく。【選択図】図２
2005330741.tif 000002
【特許請求の範囲】
【請求項１】
ドア枠と、このドア枠に対してヒンジにより開閉自在に取り付けられたドア本体と、前記ドア枠と前記ドア本体との間に設けられ、前記ドア本体の開度を規制するための規制部材とを備えるドアであって、
前記ドア本体の上辺には、辺方向に延びる溝部が設けられ、
前記規制部材は、前記溝部に沿って摺動するスライダと、前記ドア枠と前記スライダとを接続するアームストッパとを備え、
前記アームストッパは、その基端側が前記ドア枠に対して回動自在に取り付けられるとともに、その先端側には下方へ突出する突起が設けられ、
前記スライダは、戸先側の位置に開放部を有する、前記突起を収納するための収納孔が形成されたスライダ本体と、前記突起から吊元側への力が作用することにより前記開放部を拡げて前記突起を前記収納孔へ導入する導入部とを備えることを特徴とするドア。
【請求項２】
前記導入部は、前記開放部から戸先側へ向けて間隔が次第に拡がるように突出する一対の突出片により構成され、
前記一対の突出片は、常態では、前記開放部の寸法が前記突起の外径よりも小さな寸法となり、前記突起から掛かる力に応じて互いに離隔する方向に変形可能に構成されていることを特徴とする請求項１に記載のドア。
【請求項３】
前記突起における前記アームストッパ側の端部の外周には、周方向に延びる切欠部が形成され、前記スライダ本体には、前記収納孔の前記吊元側部分に戸先側へせり出した、前記突起の切欠部と係合可能なつば部が形成されていることを特徴とする請求項１または請求項２に記載のドア。
【発明の詳細な説明】
【技術分野】
【０００１】
本発明は、ドアに関し、例えば、浴室等の出入口に取り付けられ、ドア本体の開度を規制するための規制部材を備えるドアに関する。
【背景技術】
【０００２】
従来、例えば浴室等の出入口に取り付けられるドアには、ドア本体を開放させた際に、ドア本体や取っ手が浴室内の壁等に当たらないように、ドア枠とドア本体との間にドア本体の開度を規制する規制部材が取り付けられている。例えば、特許文献１に示すドアでは、規制部材は、ドア本体の上框の上部側に形成された溝部に沿って摺動するスライダと、基端側がドア枠の上枠の下部側に回動自在に取り付けられ、先端側がスライダと係合するアームストッパとにより構成される。スライダの上面に凹部が形成されるとともに、アームストッパの先端部の下面に突起が設けられており、ドアを取り付ける際には、この突起をスライダの凹部に嵌め込むことにより、スライダとアームストッパの先端部とを係合させる。
【特許文献１】特許第３１４５６４５号公報
【発明の開示】
【発明が解決しようとする課題】
【０００３】
上述のように特許文献１に記載されたドアでは、スライダとアームストッパとの係合がドア本体の上框の上部側でなされるので、浴室等の出入口にドアを取り付ける場合にスライダの凹部の位置を視認することができない。このため、手探りで突起を凹部の位置に合わせて係合させなければならず、ドアの取り付け作業性が悪いという問題がある。
本発明の目的は、上記の点に鑑みてなされたものであり、取り付け作業性を向上できるドアを提供することにある。
【課題を解決するための手段】
【０００４】
本発明は、ドア枠と、このドア枠に対してヒンジにより開閉自在に取り付けられたドア本体と、前記ドア枠と前記ドア本体との間に設けられ、前記ドア本体の開度を規制するための規制部材とを備えるドアであって、前記ドア本体の上辺には、辺方向に延びる溝部が設けられ、前記規制部材は、前記溝部に沿って摺動するスライダと、前記ドア枠と前記スライダとを接続するアームストッパとを備え、前記アームストッパは、その基端側が前記ドア枠に対して回動自在に取り付けられるとともに、その先端側には下方へ突出する突起が設けられ、前記スライダは、戸先側の位置に開放部を有する、前記突起を収納するための収納孔が形成されたスライダ本体と、前記突起から吊元側への力が作用することにより前記開放部を拡げて前記突起を前記収納孔へ導入する導入部とを備えることを特徴とする。
【０００５】
本発明によれば、スライダを吊元側に配置してから、アームストッパの先端側に設けられた突起を溝部にはめ込み、この状態で、ドア本体を開くと、ドア枠に取り付けられた基端側を軸としてアームストッパが回動するため、アームストッパの先端側に設けられた突起が吊元側へ移動し、突起がスライダ本体の開放部に当接する。さらにドア本体を開くと、開放部に当接した突起がさらに吊元側へと移動しようとして導入部に対して吊元側へ大きな力が加わり、突起が収納孔に収納される。従って、スライダを吊元側に、突起を溝部に配置してからドア本体を開くだけの操作で、スライダの位置合わせを手探りで行うことなく、スライダとアームストッパの先端側とを簡単に係合でき、ドアの取り付け作業性を向上できる。
【０００６】
ここで、前記導入部は、前記開放部から戸先側へ向けて間隔が次第に拡がるように突出する一対の突出片により構成され、前記一対の突出片は、常態では、前記開放部の寸法が前記突起の外径よりも小さな寸法となり、前記突起から掛かる力に応じて互いに離隔する方向に変形可能に構成されていてもよい。
このような構成によれば、ドア本体を開くと突起が吊元側へと移動し、この移動してきた突起が一対の突出片の拡がり部分によって開放部側へと導かれる。さらにドア本体を開くと、突起から一対の突出片に対して吊元側への大きな力が加わるため、一対の突出片が変形して開放部の寸法が大きくなり、突起が収納孔に収納される。このため、比較的簡単な構成で、スライダとアームストッパの先端側との係合を実現できる。
【０００７】
以上のドアにおいて、前記突起における前記アームストッパ側の端部の外周には、周方向に延びる切欠部が形成され、前記スライダ本体には、前記収納孔の前記吊元側部分に戸先側へせり出した、前記突起の切欠部と係合可能なつば部が形成された構成を採用できる。ドア本体を開ききった場合には、突起に対して吊元側への力が掛かかり、突起が斜め上方へ移動するように作用するが、このような構成を採用によれば、つば部と突起の切欠部とが係合するため、突起が収納孔の上側へと抜け出ることを防止できる。
【発明の効果】
【０００８】
本発明のドアによれば、ドアの取り付け作業性を向上できるという効果がある。
【発明を実施するための最良の形態】
【０００９】
以下、本発明の一実施形態に係るドアについて図面を参照して説明する。
図１は、本実施形態に係るドア１の外観を示す斜視図である。ドア１は、例えば浴室の出入口等に取り付けられ、図１に示すように、上枠１１、下枠１２、および左右の縦枠１３を有するドア枠１０と、ドア枠１０に対してヒンジ２６により開閉自在に取り付けられたドア本体２０と、ドア枠１０とドア本体２０との間に設けられ、ドア本体２０の開度を規制する規制部材３０とを備えている。
【００１０】
ドア本体２０は、上框２１、下框２２、および左右の縦框２３を四方枠組みした框体２４と、框体２４の内側に組み込まれた面材２５とを備えている。上框２１の上面には、辺方向に延びる溝部２１Ａが形成されている。また、戸先側の縦框２３には、取っ手２７が取り付けられている。
ヒンジ２６は、吊元側の縦框２３の上部側に設けられ、ドア枠１０の上枠１１に形成された軸孔（図示略）に対して縦框２３の小口側から進退するピボット（図示略）を有し、このピボットの進退によりドア枠１０に対するヒンジ２６の係合状態を解除する構成となっている。このため、例えば、ドア本体２０の鍵を浴室の内側から掛けた状態で、浴室内の入浴者が倒れたような緊急時でも、前記ピボットを操作して、ドア枠１０に対するヒンジ２６の係合状態を解除することにより、ドア枠１０からドア本体２０ごと取り外して、浴室内の入浴者を救出することができる。
【００１１】
図２は、規制部材３０を拡大して示す平面図である。図２に示すように、規制部材３０は、上框２１に形成された溝部２１Ａに沿って摺動するスライダ３１と、溝部２１Ａにおけるスライダ３１よりも吊元側の位置に固定されたスライダストッパ３２と、ドア枠１０側とスライダ３１とを接続するアームストッパ３３とを備えている。
【００１２】
図３は、アームストッパ３３を示す縦断面図である。図３に示すように、アームストッパ３３は、長尺状で例えば金属製のアーム本体３４と、アーム本体３４の先端側Ｓから下方へ突出してスライダ３１（図２）に係合する突起としてのピン３５と、アーム本体３４の基端側Ｔを上枠１１の下面に回動自在に取り付ける取付板４１とを備えている。ピン３５のアーム本体３４側（上部側）の端部外周には、周方向に延びる切欠部３５Ａが形成されている。
【００１３】
以上の構成によれば、アームストッパ３３の基端側Ｔがドア枠１０に回動自在に取り付けられているため、図２に示す矢印Ｘの方向へドア本体２０を開くと、アームストッパ３３も同じ方向へ回動する。このため、アームストッパ３３のピン３５に係合するスライダ３１がドア本体２０の吊元側へと移動し、スライダ３１がスライダストッパ３２に当たって吊元側への移動が規制されることにより、ドア本体２０の開度が制限される。また、図２中の矢印Ｙの方向へドア本体２０を閉じると、スライダ３１は、ピン３５とともにドア本体２０の戸先側へと移動する。
【００１４】
図４は、スライダ３１を示す平面図である。スライダ３１は、例えば樹脂等により構成された部材であり、図４に示すように、戸先側（図４中の右側）の開放部Ｐから、ピン３５（図３）を収納するための収納孔３６Ａが形成されたスライダ本体３６と、開放部Ｐから戸先側へテーパ状に延びる一対の突出片３８とを備えている。この一対の突出片３８は、開放部Ｐから戸先側へ向けて間隔が次第に拡がるように突出するテーパ状に形成され、常態では、開放部Ｐの寸法がピン３５の外径よりも小さな寸法となり、ピン３５から掛かる力に応じて互いに離隔する方向に変形可能な部材である。
後述するように、スライダ３１とアームストッパ３３とを接続する場合には、吊元側（図４中の左側）へ移動してきたピン３５からの力で一対の突出片３８が弾性変形して開放部Ｐが拡がり、この拡がった開放部Ｐからピン３５が収納孔３６Ａへと導入される。
【００１５】
なお、スライダ本体３６に形成された収納孔３６Ａは、ピン３５の外径よりも大きな寸法で形成されているため、ピン３５を上下方向に出し入れ可能である。このため、前述した緊急時の場合でも、収納孔３６Ａの上方へピン３５を簡単に外すことができる。
【００１６】
図５は、規制部材３０を構成するスライダ３１とアームストッパ３３との結合部を拡大して模式的に示す縦断面図である。図５に示すように、スライダ本体３６において、収納孔３６Ａの吊元側（図５中の左側）には、戸先側（図５中の右側）へとせり出し、ピン３５に形成された切欠部３５Ａと係合可能なつば部３６Ｂが形成されている。なお、切欠部３５Ａとつば部３６Ｂの役割については後述する。
【００１７】
次に、本実施形態のドア１を浴室等の出入口に取り付ける手順について説明する。
図６は、規制部材３０を拡大して示す平面図であり、アームストッパ３３を取り付ける前の、ピン３５とスライダ３１とが係合していない状態を示している。
まず、浴室等の出入口にドア枠１０を取り付けてから、ヒンジ２６の前記ピボットを上枠１１の前記軸孔に係合させることにより、ドア本体２０をドア枠１０に取り付ける。続いて、上枠１１の下面にアームストッパ３３の取付板４１を取り付ける。上框２１の溝部２１Ａには、予めスライダストッパ３２を固定し、スライダストッパ３２よりも戸先側にスライダ３１を配置しておく。
【００１８】
次に、スライダ３１をスライダストッパ３２の近傍まで移動させてから、アーム本体３４の先端側Ｓに設けられたピン３５を上框２１の溝部２１Ａにはめ込む。この状態では、図６に示すように、ピン３５よりも吊元側にスライダ３１が位置するようにする。この状態で、図６の矢印Ｘに示すようにドア本体２０を開くと、ピン３５が戸先側から吊元側に向かって移動し、ピン３５がスライダ３１のテーパ部分に当接すると、ピン３５からスライダ３１に吊元側への力が作用する。
【００１９】
すると、スライダ３１の吊元側への移動は、スライダストッパ３２によって規制されるので、この状態から、さらにドア本体２０を矢印Ｘの方向に開くと、ピン３５が吊元側すなわちスライダ３１側へさらに移動しようとして一対の突出片３８の根元部分に大きな力が作用する。このため、一対の突出片３８が互いに離間する方向に弾性変形して開放部Ｐが拡がり、ピン３５が開放部Ｐを通って収納孔３６Ａに収納される。ピン３５が収納孔３６Ａに収納されると一対の突出片３８が常態に戻るため、戸先側の方向へとピン３５が収納孔３６Ａから抜け出ないようになる。これにより、ピン３５とスライダ３１とが係合し、ピン３５に係合したスライダ３１が溝部２１Ａに沿って両方向に摺動できる。
このようにして、ドア枠１０とドア本体２０との間に規制部材３０を接続することにより、ドア１の取り付け作業が完了する。
【００２０】
また、規制部材３０によってドア本体２０の開度が規制されるまでドア本体２０を開き切ると、アームストッパ３３からピン３５の上端部に吊元側への大きな力が作用して、ピン３５を斜め上方（吊元側と上方との間の方向）へと引き抜こうとする力が作用する。これに対して、本実施形態では、図７に示すように、つば部３６Ｂと切欠部３５Ａとを係合させることにより、ピン３５が収納孔３６Ａの上方へと抜け出すのを防止できる。
【００２１】
一方、前述した緊急時のように、ドア枠１０からドア本体２０を取り外したい場合には、図５に示すように、切欠部３５Ａとつば部３６Ｂとの係合状態を解除して、ピン３５を上方へ引き抜くことにより、規制部材３０を簡単に取り外すことができる。
【００２２】
以上説明した本実施形態によれば、スライダ３１を吊元側に寄せた状態でピン３５を溝部２１Ａに配置し、ドア本体２０を開く操作を行うだけで、スライダ３１の収納孔３６Ａとピン３５との位置合わせを手探り等で行うことなく、アームストッパ３３の先端側Ｓのピン３５とスライダ３１とを簡単に係合でき、ドア１の取り付け作業性を向上できる。
また、一対の突出片３８にテーパ状の部分を形成したので、吊元側に移動してきたピン３５を開放部Ｐの近傍へとスムーズに導くことができる。
また、上方からピン３５の外径よりも大きな寸法で収納孔３６Ａを形成したので、前述した緊急時の場合でも、スライダ３１とピン３５との係合を簡単に解除でき、これにより、ドア枠１０からドア本体２０を簡単に取り外すことができる。
【００２３】
本発明は、前記実施形態には限定されない。前記実施形態では、ピン３５の上側に切欠部３５Ａを形成するとともに、スライダ本体３６につば部３６Ｂを形成して、つば部３６Ｂと切欠部３５Ａとの係合によって、収納孔３６Ａの上方からピン３５が抜け出ることを防止したが、例えば、ピン３５の外周の吊元側につば部を形成し、このつば部がスライダ本体３６における収納孔３６Ａの周囲と係合する構成を採用することにより、収納孔３６Ａの上方からピン３５が抜け出ないようにしてもよい。要するに、収納孔３６Ａの上方からピン３５が抜けでることを防止できれば、その構成は特に限定されない。
また、前記実施形態では、導入部材をスライダ本体３６から突出する一対の突出片３８として構成したが、板ばね等を用いて構成してもよく、導入部材の構成は特に限定されない。
【図面の簡単な説明】
【００２４】
【図１】本発明の一実施形態に係るドアの外観を示す斜視図である。
【図２】前記ドアを構成する規制部材を拡大して示す平面図である。
【図３】前記規制部材を構成するアームストッパを示す縦断面図である。
【図４】前記規制部材を構成するスライダを示す平面図である。
【図５】前記スライダとアームストッパとの結合部を拡大して模式的に示す縦断面図であり、切欠部とつば部とが係合していない状態を示している。
【図６】前記規制部材を拡大して示す平面図であり、前記アームストッパを取り付ける前の、ピンと収納孔とが係合していない状態を示す。
【図７】前記スライダとアームストッパとの結合部を拡大して模式的に示す縦断面図であり、切欠部とつば部とが係合した状態を示している。
【符号の説明】
【００２５】
１      ドア
１０      ドア枠
２０      ドア本体
２１Ａ      溝部
３０      規制部材
３１      スライダ
３３      アームストッパ
３５      ピン（突起）
３５Ａ      切欠部
３６      スライダ本体
３６Ａ      収納孔
３６Ｂ      つば部
３８      一対の突出片
Ｓ      先端側
Ｔ      基端側
【図１】
2005330741.tif 000003
【図２】
2005330741.tif 000004
【図３】
2005330741.tif 000005
【図４】
2005330741.tif 000006
【図５】
2005330741.tif 000007
【図６】
2005330741.tif 000008
【図７】
2005330741.tif 000009